(57)【要約】【課題】オーダー情報を記録媒体の目立たない箇所に形成することができる、情報記録装置を提供する。【解決手段】記録媒体にオーダー情報を形成する情報記録装置において、オーダー情報を記録媒体の側面に形成する。【選択図】　　　　図１
2004071002.tif 000002
【特許請求の範囲】
【請求項１】
記録媒体にオーダー情報を形成する情報記録装置において、
前記オーダー情報を前記記録媒体の側面に形成することを特徴とする、情報記録装置。
【発明の詳細な説明】
【０００１】
【発明の属する技術分野】
この発明は情報記録装置に関し、より特定的には、写真処理装置に用いられ記録媒体にオーダー情報を形成する情報記録装置に関する。
【０００２】
【従来の技術】
近年、デジタル技術の進歩により、ラボ店（写真店）において、現像済ネガフィルムの画像をスキャナによって読み取りデジタルデータ化し、この画像データをＣＤ−Ｒに所定のファイル形式で保存して顧客に提供するというサービスが浸透しつつある。この場合、ＣＤ−Ｒに画像データを書き込んだ後、ＣＤ−Ｒのレーベル面にインデックス画像やオーダー情報が印刷される。ここで、インデックス画像とは、画像を縮小化したサムネイル画像を所定のフォーマットに従い並べて配置した画像をいう。オーダー情報とは、オーダー番号などの顧客の識別情報をいう。
【０００３】
ＣＤ−Ｒを受け取った顧客は、レーベル面に印刷されているインデックス画像を見ることにより、そのＣＤ−Ｒにどのような画像データが記録されているかを直ちに認識することができる。そして、かかる画像データをパソコンに取り込むことによって、種々の目的に活用することができる。
【０００４】
【発明が解決しようとする課題】
しかし、オーダー情報は、店員がどのＣＤ−Ｒが誰のものかを識別するための情報であって顧客にとっては不要なものであり、レーベル面に印刷されるのを嫌う顧客もいると考えられ、オーダー情報を目立ちやすいレーベル面に印刷することは好ましくない。
それゆえに、この発明の主たる目的は、オーダー情報を記録媒体の目立たない箇所に形成することができる、情報記録装置を提供することである。
【０００５】
【課題を解決するための手段】
上述の目的を達成するために、請求項１に記載の情報記録装置は、記録媒体にオーダー情報を形成する情報記録装置において、オーダー情報を記録媒体の側面に形成することを特徴とする。
請求項１に記載の情報記録装置では、オーダー情報は記録媒体のレーベル面ではなく側面に形成されるので、オーダー情報は目立たず顧客を不快にしない。
【０００６】
【発明の実施の形態】
以下、図面を参照して、この発明の実施形態について説明する。
ここでは、この発明を写真処理装置に用いられるＣＤ−Ｒ書き込み装置に適用した場合について説明する。
図１〜図３を参照して、この発明の一実施形態のＣＤ−Ｒ書き込み装置１０は、画像形成媒体に形成された画像の画像データ等を所定のファイル形式でＣＤ−Ｒ１２に書き込むために用いられる。ファイル形式としては、ＪＰＥＧ、ＧＩＦＦ、ビットマップ等が挙げられるが、特定のファイル形式に限定されるものではない。
【０００７】
ＣＤ−Ｒ書き込み装置１０は装置本体１４を含む。装置本体１４はＣＤ−Ｒ１２に画像データを書き込むための書き込み用ドライブ１６を含む。書き込み用ドライブ１６はトレイローディング方式に構成される。装置本体１４の上部にはレーベル印刷用プリンタ１８が設けられる。レーベル印刷用プリンタ１８は、ＣＤ−Ｒ１２のレーベル面１２ａにインデックス画像を印刷するためのトレイローディング方式のドライブ２０を含む。
装置本体１４近傍には、書き込み前メディア入れ２２および書き込み済メディア入れ２４が設けられる。
【０００８】
また、ＣＤ−Ｒ書き込み装置１０はコラム２６を有し、コラム２６の側面には鉛直方向に平行する２本のレール２８が形成され、レール２８には上下方向に摺動可能なスライダ２９が装着される。スライダ２９にはチャッカー付きＣＤ移動用アーム３０が取り付けられ、これによってＣＤ−Ｒ１２が保持されかつ移動される。チャッカー付きＣＤ移動用アーム３０の先端部には、ＣＤ−Ｒ１２の側面１２ｂへオーダー情報を印刷するためのディスク側面印刷ヘッド３２が取り付けられる。
【０００９】
さらにＣＤ−Ｒ書き込み装置１０は図４に示すような構成を含む。
ＣＤ−Ｒ書き込み装置１０は画像データ入力部３４を含む。画像データ入力部３４には、画像形成媒体に形成された画像の画像データ等が入力される。画像データ入力部３４としては、たとえば写真処理装置のスキャナ装置が用いられ、ネガフィルム（写真フィルム）や、写真フィルム以外の画像形成媒体たとえば写真プリントや任意の印刷物、デジタルカメラの記憶媒体等から画像データを取得することができる。
【００１０】
第１記憶部３６は、画像形成媒体等から取得された原画像データやオーダー情報が記憶されるフレームメモリである。ここで原画像データとは、後述するサムネイル画像データを取得する前の画像データをいう。たとえば、ネガフィルムの全体の画像データから切り出されたコマ画像のデータが原画像データに該当する。
【００１１】
第２記憶部３８は、インデックス画像データを作成するためのテンプレートが格納されるメモリである。テンプレートは、ＣＤ−Ｒ１２に記録される画像数等に応じて複数用意されている。画像合成部４０は、第２記憶部３８のテンプレートと第１記憶部３６の原画像データから取得されるサムネイル画像データとを画像合成してインデックス画像データを作成する。
【００１２】
制御部４２は主としてＣＰＵによって構成され、各部の動作を制御する。書き込みヘッド４４は、第１記憶部３６の原画像データを画像合成部４０を介して受け取って所定のファイル形式で、書き込み用ドライブ１６にセットされたＣＤ−Ｒ１２の記録面に書き込む。レーベル面印刷ヘッド４６は、画像合成部４０からインデックス画像データを受け取って、ドライブ２０にセットされたＣＤ−Ｒ１２のレーベル面１２ａにインデックス画像を印刷する（図３参照）。さらに、ディスク側面印刷ヘッド３２は、第１記憶部３６のオーダー情報を画像合成部４０を介して受け取って、ＣＤ−Ｒ１２の側面１２ｂに書き込む（図３参照）。
【００１３】
なお、ディスク側面印刷ヘッド３２およびレーベル面印刷ヘッド４６による印刷方式としては、レーザー印刷や昇華印刷等が用いられる。
【００１４】
このようなＣＤ−Ｒ書き込み装置１０の主要動作を、図５を参照して説明する。
【００１５】
まず、画像合成部４０によって、第１記憶部３６からの原画像データが取得され（ステップＳ１）、この原画像データに基づいてサムネイル画像データが取得される（ステップＳ３）。サムネイル画像データのデータサイズは、ＣＤ−Ｒ１２に記録されるべき画像数によって決定される。そして、第２記憶部３８からテンプレートが取得される（ステップＳ５）。
画像合成部４０によってインデックス画像データが作成され（ステップＳ７）、インデックス画像データがレーベル面印刷ヘッド４６に送られてＣＤ−Ｒ１２のレーベル面１２ａにインデックス画像が印刷される（ステップＳ９）。なお、インデックス画像は、レーベル面１２ａに直接印刷されてもよいし、レーベル面１２ａに貼り付けられているシールに印刷されてもよい。
さらに、オーダー情報が画像合成部４０からディスク側面印刷ヘッド３２に転送され、ディスク側面印刷ヘッド３２によってオーダー情報がＣＤ−Ｒ１２の側面１２ｂに印刷される（ステップＳ１１）。
【００１６】
このようなＣＤ−Ｒ書き込み装置１０によれば、ＣＤ−Ｒ１２のレーベル面１２ａにはインデックス画像等の顧客に必要な情報のみを形成でき、オーダー情報はレーベル面１２ａではなく側面１２ｂに形成されるので、オーダー情報は目立たず顧客を不快にしない。
また、ＣＤ−Ｒ１２の側面１２ｂにオーダー情報を形成することによって、オペレータは素早く所望のＣＤ−Ｒを取り出すことができる。
【００１７】
なお、書き込み前メディア入れ２２にＣＤ−Ｒ１２を配置するときに、図６（ａ）に示すような、書き込み前メディア入れ２２にセット可能なメディアケース４８が用いられてもよい。メディアケース４８は円板状の底板５０と底板５０に立設される複数の棒部材５２とを含む。
メディアケース４８を用いる場合、図６（ｂ）に示すように、メディアケース４８にＣＤ−Ｒ１２を入れ、その状態でメディアケース４８を書き込み前メディア入れ２２にセットする。
このとき、メディアケース４８に、ＣＤ−Ｒ１２すなわちメディアの種類を明記しておくことで、各メディアケース４８に収納されたＣＤ−Ｒ１２の種類を明確に把握することができる。
【００１８】
したがって、データや情報が何も入っていないブランクＣＤ−Ｒや、Ｖｉｅｗｅｒ書き込み済ＣＤ−Ｒや、レーベル面が印刷可能なＣＤ−Ｒ等、複数種類のＣＤ−Ｒを間違えることなく簡単に区別することができる。書き込み前メディア入れ２２内のＣＤ−Ｒの種類を替える場合には、メディアケース４８ごと入れ替える。
なお、メディアケース４８の棒部材５２の数は任意でよい。
【００１９】
この発明は、写真処理装置用のＣＤ−Ｒ書き込み装置１０に適用される場合に限定されず、一般のＣＤ−Ｒ書き込み装置にも適用できる。さらに、この発明は、ＣＤ−Ｒ書き込み装置に限定されず、ＤＶＤ−Ｒ等のその他の記録媒体に情報を書き込むことが可能な情報記録装置に適用できる。
【００２０】
【発明の効果】
この発明によれば、記録媒体に形成されたオーダー情報は目立たず顧客を不快にしない。
【図面の簡単な説明】
【図１】この発明の一実施形態の概略を示す図解図であり、（ａ）はその正面図、（ｂ）はその側面図である。
【図２】この発明の要部を示す平面図解図である。
【図３】この発明が適用されるＣＤ−Ｒの一例を示す図解図である。
【図４】この発明の要部を示すブロック図である。
【図５】この発明の動作の一例を示すフロー図である。
【図６】メディアケースの一例を説明するための図解図である。
【符号の説明】
１０　　　ＣＤ−Ｒ書き込み装置
１２　　　ＣＤ−Ｒ
１２ａ　　　ＣＤ−Ｒのレーベル面
１２ｂ　　　ＣＤ−Ｒの側面
２２　　　書き込み前メディア入れ
３０　　　チャッカー付きＣＤ移動用アーム
３２　　　ディスク側面印刷ヘッド
４８　　　メディアケース
【図１】
2004071002.tif 000003
【図２】
2004071002.tif 000004
【図３】
2004071002.tif 000005
【図４】
2004071002.tif 000006
【図５】
2004071002.tif 000007
【図６】
2004071002.tif 000008